(57)【要約】【課題】画像間での表示のずれを効果的に調整すること。【解決手段】複数の画像が結合された結合画像を表示する表示装置１０のずれ量検出部１４が、複数の画像が結合される境界領域において、その複数の画像に跨る画像部分の画像間でのずれ量を検出し、遅延調整部１７ａ〜１７ｄが、ずれ量検出部１４により検出された画像部分の画像間でのずれ量に応じて、複数の画像の少なくとも１つを形成する画像信号の出力タイミングの遅延量を調整する。【選択図】図１
2013225047.tif 000002
【特許請求の範囲】
【請求項１】
複数の画像が結合された結合画像を表示する表示装置であって、
前記複数の画像が結合される境界領域において、該複数の画像に跨る画像部分の画像間でのずれ量を検出するずれ量検出部と、
該ずれ量検出部により検出された前記画像部分の画像間でのずれ量に応じて、前記複数の画像の少なくとも１つを形成する画像信号の出力タイミングの遅延量を調整する遅延調整部と、
を備えることを特徴とする表示装置。
【請求項２】
前記ずれ量検出部は、隣接画像の一部が含まれるオーバーラップ領域が付加された画像において、該画像に含まれる画像部分と前記オーバーラップ領域に含まれる画像部分のずれ量を検出することにより、前記複数の画像に跨る画像部分の画像間でのずれ量を検出することを特徴とする請求項１に記載の表示装置。
【請求項３】
前記画像部分がスクロールする前記複数の画像の画像信号の入力を受け付ける入力部をさらに備え、前記ずれ量検出部は、前記入力部により前記複数の画像の画像信号の入力が受け付けられた場合に、スクロールする前記画像部分の画像間でのずれ量を検出することを特徴とする請求項１または２に記載の表示装置。
【発明の詳細な説明】
【技術分野】
【０００１】
本発明は、表示装置に関し、特に、複数の画像が結合された結合画像を表示する表示装置に関する。
【背景技術】
【０００２】
近年、テレビやパーソナルコンピュータ用モニタなどの表示装置では、４Ｋ２Ｋなどの高解像度の表示が可能となってきている。４Ｋ２Ｋとは、横方向の画素数が約４０００画素、縦方向の画素数が約２０００画素である解像度の総称である。例えば、４Ｋ２Ｋの解像度には、横方向の画素数が３８４０画素、縦方向の画素数が２１６０画素であるＱＦＨＤ（クアッドフルＨＤ）の解像度や、デジタルシネマなどで用いられる解像度であって、横方向の画素数が４０９６画素、縦方向の画素数が２１６０画素や２０４８画素である解像度などを含む。
【０００３】
このような表示装置に対する画像信号の入力は、パーソナルコンピュータなどの機器からＨＤＭＩ（登録商標）インターフェースなどを介して行うことができる。しかし、現状では、パーソナルコンピュータは、処理能力の制限等から、ＱＦＨＤなどの４Ｋ２Ｋの画像の画像信号をそのまま出力することができず、ＱＦＨＤの画像を４分割したＦＤＨ（ｆｕｌｌ  ＨＤ（full high definition）とも呼ばれる。）の画像の画像信号をそれぞれ出力し、表示装置側でそれらの画像が合成される。ここで、ＦＤＨとは、横方向の画素数が１９２０画素、縦方向の画素数が１０８０画素である解像度のことである。
【０００４】
分割された画像が結合された結合画像の表示が行われる場合、上側の画像と下側の画像との境界領域で表示が非連続となるティアリングと呼ばれる現象が生じることがある。例えば、上側の画像と下側の画像で並行して最も上のラインから下のラインへと順に表示がなされる表示装置について考える。
【０００５】
このような表示装置が縦縞の画像を表示する場合、その画像が横スクロールしないものであれば、上側の画像の最も下のラインと下側の画像の最も上のラインの表示は連続的になる。しかし、その画像が横スクロールする場合、上側の画像の最も上のラインが表示されてから最も下のラインが表示されるまでの間に、下側の画像の最も上のラインの表示内容が変化してしまうため、上側の画像と下側の画像との境界領域で表示が非連続となる。
【０００６】
このようなことから、特許文献１には、下側の画像の表示を１フレーム前のデータを用いて行うことによりティアリングを防止する画像表示システムが開示されている。また、特許文献２には、上側の画面の表示信号の出力完了のタイミングに合わせて、上側の画面の表示信号と整合する下側の画面の表示信号の出力を開始することによりティアリングを防止する表示装置が開示されている。
【先行技術文献】
【特許文献】
【０００７】
【特許文献１】特開２００２−２４４６３４号公報
【特許文献２】特許第４７３２４４０号公報
【発明の概要】
【発明が解決しようとする課題】
【０００８】
上述した特許文献１、２の従来技術は、下側の画面の表示のタイミングが上側の画面の表示のタイミングよりも早くなることにより生じるティアリングを防止するものであるが、複数の画像の画像信号の入力がパーソナルコンピュータから行われる場合などには、パーソナルコンピュータの処理能力やアプリケーションソフトウェアの設定などの影響により、下側の画面の表示タイミングが上側の画面の表示タイミングよりも遅くなることもあり得る。
【０００９】
図８は、下側の画面の表示タイミングが上側の画面の表示タイミングよりも遅くなる場合のティアリングについて説明する図である。図８には、４つの画像１ａ〜１ｄが結合されて１つの結合画像を表示する場合が示されている。また、図８には、４つの画像１ａ〜１ｄに跨って表示される画像部分２が示されている。この画像部分２は、左上から右下の方向に移動している。
【００１０】
図８（Ａ）は、ティアリングが発生していない状態を示し、図８（Ｂ）は、ティアリングが発生した状態を示す。図８（Ｂ）の例では、図８（Ａ）の例とは異なり、画像１ｂと画像１ｄとの間、および、画像１ｃと画像１ｄとの間で画像部分２の表示のずれが発生している。具体的には、画像１ｄの表示タイミングに遅延が発生している。
【００１１】
表示タイミングの遅延発生の原因が、パーソナルコンピュータの処理能力やアプリケーションソフトウェアの設定などによるものである場合、その遅延量は状況に応じて変化し得る。しかし、上述した特許文献１の画像表示システムは、下側の画像の表示を１フレーム前のデータを用いて行うものであり、そのような変化に対応できない。
【００１２】
また、図８（Ｂ）の場合、画像１ａ、１ｂ、１ｃの表示タイミングを遅延させる必要があるが、特許文献１の画像表示システムは、上側の画像１ａ、１ｂの表示タイミングを遅延させるものではないので、図８（Ｂ）のようなケースに対応できない。このことは、特許文献２の表示装置についても同様である。
【００１３】
ここでは、４Ｋ２Ｋの解像度の画像について説明したが、スーパーハイビジョン（Ultra High Definition Television （UHDTV, Ultra HDTV））対応のモニタ装置についても、同様の問題が発生する。
【００１４】
本発明は、上記実情に鑑み、画像間での表示のずれを効果的に調整することが可能な表示装置を提供することを目的とする。
【課題を解決するための手段】
【００１５】
上記課題を解決する為に、本発明の第１の技術手段は、複数の画像が結合された結合画像を表示する表示装置であって、前記複数の画像が結合される境界領域において、該複数の画像に跨る画像部分の画像間でのずれ量を検出するずれ量検出部と、該ずれ量検出部により検出された前記画像部分の画像間でのずれ量に応じて、前記複数の画像の少なくとも１つを形成する画像信号の出力タイミングの遅延量を調整する遅延調整部と、を備えることを特徴とする。
【００１６】
本発明の第２の技術手段は、第１の技術手段において、前記ずれ量検出部は、隣接画像の一部が含まれるオーバーラップ領域が付加された画像において、該画像に含まれる画像部分と前記オーバーラップ領域に含まれる画像部分のずれ量を検出することにより、前記複数の画像に跨る画像部分の画像間でのずれ量を検出することを特徴とする。
【００１７】
本発明の第３の技術手段は、第１または第２の技術手段において、前記画像部分がスクロールする前記複数の画像の画像信号の入力を受け付ける入力部をさらに備え、前記ずれ量検出部は、前記入力部により前記複数の画像の画像信号の入力が受け付けられた場合に、スクロールする前記画像部分の画像間でのずれ量を検出することを特徴とする。
【発明の効果】
【００１８】
本発明によれば、複数の画像が結合される境界領域において、その複数の画像に跨る画像部分の画像間でのずれ量を検出し、検出された画像部分の画像間でのずれ量に応じて、複数の画像の少なくとも１つを形成する画像信号の出力タイミングの遅延量を調整することとしたので、画像間での表示のずれを効果的に調整することができる。
【図面の簡単な説明】
【００１９】
【図１】本発明の実施形態に係る表示装置の一例を示す図である。
【図２】２Ｋ１Ｋの画像の画像信号のフォーマット変換について説明する図である。
【図３】オーバーラップ領域について説明する図である。
【図４】画像部分の画像間でのずれ量をテストパターンを用いて検出する処理について説明する図である。
【図５】画像部分の画像間でのずれ量をテストパターンを用いて検出する処理について説明する図である。
【図６】通常の画像が表示されている間に実行される画像部分の画像間でのずれ量の検出処理について説明する図である。
【図７】本発明の実施形態に係る画像信号の出力タイミング遅延量調整処理の処理手順を示すフローチャートである。
【図８】下側の画面の表示タイミングが上側の画面の表示タイミングよりも遅くなる場合のティアリングについて説明する図である。
【発明を実施するための形態】
【００２０】
以下、本発明の実施形態について図面を参照して詳細に説明する。以下では、４Ｋ２Ｋの画像を表示する場合について説明するが、画像の解像度はこれに限定されるものではない。
【００２１】
また、ここでは、４Ｋ２Ｋの横方向の画素数に相当する画素数を４Ｋ、縦方向の画素数に相当する画素数を２Ｋと呼び、２Ｋの半分の画素数を１Ｋと呼ぶ。さらに、横方向の画素数が２Ｋ、縦方向の画素数が１Ｋの画像の解像度を２Ｋ１Ｋと呼び、横方向の画素数が１Ｋ、縦方向の画素数が２Ｋの画像の解像度を１Ｋ２Ｋと呼ぶ。その他の解像度の画像についても同様の呼び方をする。
【００２２】
図１は、本発明の実施形態に係る表示装置１０の一例を示す図である。この表示装置１０は、４つの入力部１１ａ〜１１ｄ、フォーマット変換部１２、４つの遅延制御部１３ａ〜１３ｄ、タイミング制御部１８、表示部１９を備える。
【００２３】
入力部１１ａ〜１１ｄは、パーソナルコンピュータなどの機器からＨＤＭＩ（登録商標）インターフェースなどを介して、２Ｋ１Ｋの画像の画像信号の入力を受け付ける処理部である。例えば、入力部１１ａは図８に示した画像１ａ、入力部１１ｂは画像１ｂ、入力部１１ｃは画像１ｃ、入力部１１ｄは画像１ｄの画像信号の入力をそれぞれ受け付ける。
【００２４】
フォーマット変換部１２は、２Ｋ１Ｋの画像の画像信号のフォーマットを変換する処理部である。図２は、２Ｋ１Ｋの画像の画像信号のフォーマット変換について説明する図である。
【００２５】
フォーマット変換部１２は、４つの入力部１１ａ〜１１ｄから、図２（Ａ）に示すような２Ｋ１Ｋの４つの画像１ａ〜１ｄの画像信号を取得する。そして、フォーマット変換部１２は、４つの画像１ａ〜１ｄを表示する画像信号のフォーマットを、図２（Ｂ）に示すような、オーバーラップ領域４ａ〜４ｃが付加された１Ｋ２Ｋの４つの画像３ａ〜３ｄの画像信号のフォーマットに変換する。
【００２６】
例えば、オーバーラップ領域４ａ〜４ｃの横方向の画素数は１２８画素、縦方向の画素数は２Ｋである。画像３ａについては、その右側にオーバーラップ領域４ａが付加され、画像３ｂについては、その左側、右側の双方にオーバーラップ領域４ａ、４ｂが付加され、画像３ｃについては、その左側、右側の双方にオーバーラップ領域４ｂ、４ｃが付加され、画像３ｄについては、その左側にオーバーラップ領域４ｃが付加される。
【００２７】
オーバーラップ領域４ａ〜４ｃとは、隣接画像の一部が含まれる領域である。図３は、オーバーラップ領域について説明する図である。図３には、図２（Ｂ）に示した画像３ｂ、３ｃと、オーバーラップ領域４ａ〜４ｃが示されている。また、図３には、画像パターン２０ａ、２０ｂ、２１ａ、２１ｂが示されている。
【００２８】
ここで、画像３ｂに付加されたオーバーラップ領域４ｂには、画像パターン２１ａの延長である画像パターン２１ｂが含まれる。また、画像３ｃに付加されたオーバーラップ領域４ｂには、画像パターン２０ａの延長である画像パターン２０ｂが含まれる。
【００２９】
このようなオーバーラップ領域４ｂを付加するのは、画像３ｂ、３ｃのエッジ領域において動きベクトルの計算を適切に行い、動き補償型のフレームレート変換処理等を効果的に実行することができるようにするためである。なお、ここでは、動き補償型のフレームレート変換処理等についての説明は省略する。
【００３０】
また、フォーマット変換部１２は、図２（Ａ）に示した画像のフォーマットを、図２（Ｂ）に示したフォーマット以外のものに変換することとしてもよい。図２（Ｃ）〜図２（Ｆ）には、図２（Ｂ）に示したフォーマット以外のフォーマットが示されている。
【００３１】
具体的には、図２（Ｃ）には、２Ｋ１Ｋの画像１ａ〜１ｄにオーバーラップ領域５ａ〜５ｄが付加されたフォーマットが、図２（Ｄ）には、２Ｋ２Ｋの画像６ａ、６ｂにオーバーラップ領域７が付加されたフォーマットが、図２（Ｅ）には、４Ｋ１Ｋの画像８ａ、８ｂにオーバーラップ領域９が付加されたフォーマットが、図２（Ｆ）には、オーバーラップ領域のない４つの１Ｋ２Ｋの画像３ａ〜３ｄのフォーマットが示されている。
【００３２】
画像のフォーマットは、遅延制御部１３ａ〜１３ｄやタイミング制御部１８の仕様に適合させるため、また、上述したフレームレート変換処理を容易に実行できるようにするために適切なものが選択される。
【００３３】
図１の説明に戻ると、遅延制御部１３ａ〜１３ｄは、複数の画像が結合される境界領域において、複数の画像に跨る画像部分の画像間でのずれ量を検出し、そのずれの量に応じて画像信号の出力タイミングの遅延量を調整する処理部である。遅延制御部１３ａ〜１３ｄは、この処理を、パーソナルコンピュータなどの機器からテストパターンの画像信号の入力を受け付けた際や、画像部分の移動が検出された際などに実行する。
【００３４】
例えば、各遅延制御部１３ａ〜１３ｄは、上述したフレームレート変換処理を効率的に実行するため、それぞれ別個のＩＣ（Integrated Circuit）チップで構成される。ただし、遅延制御部１３ａ〜１３ｄの数は４つに限定されるものではなく、２つ、または、１つであってもよい。遅延制御部が２つである場合、各遅延制御部は、２つの画像の画像信号を処理することになり、遅延制御部が１つである場合、遅延制御部は、４つの画像の画像信号を処理することになる。
【００３５】
遅延制御部１３ａ〜１３ｄは、ずれ量検出部１４ａ〜１４ｄ、フレームバッファ１５ａ〜１５ｄ、ラインメモリ１６ａ〜１６ｄ、遅延調整部１７ａ〜１７ｄを備える。例えば、図２（Ｂ）に示すフォーマットの画像信号が遅延制御部１３ａ〜１３ｄに入力された場合、ずれ量検出部１４ａ、フレームバッファ１５ａ、ラインメモリ１６ａ、遅延調整部１７ａは画像３ａに対する遅延制御処理に用いられ、ずれ量検出部１４ｂ、フレームバッファ１５ｂ、ラインメモリ１６ｂ、遅延調整部１７ｂは画像３ｂに対する遅延制御処理に用いられ、ずれ量検出部１４ｃ、フレームバッファ１５ｃ、ラインメモリ１６ｃ、遅延調整部１７ｃは画像３ｃに対する遅延制御処理に用いられ、ずれ量検出部１４ｄ、フレームバッファ１５ｄ、ラインメモリ１６ｄ、遅延調整部１７ｄは画像３ｄに対する遅延制御処理に用いられる。
【００３６】
ずれ量検出部１４ａ〜１４ｄは、複数の画像に跨る画像部分の画像間でのずれ量を検出する処理部である。図４、図５は、画像部分の画像間でのずれ量をテストパターンを用いて検出する処理について説明する図である。
【００３７】
図４（Ａ）には、下方向にスクロールする画像部分３０を含む画像データ１ａ〜１ｄが示されている。図４（Ａ）に示す画像データ１ａ〜１ｄのフォーマットは、フォーマット変換部１２により、図４（Ｂ）、図４（Ｃ）に示すようなフォーマットに変換される。以下では、画像１ｄの表示に遅延が発生するものとして説明を行うこととする。また、図４（Ｂ）、図４（Ｃ）に示した一点鎖線の位置における画像信号は、遅延制御部１３ａ〜１３ｄによりラインメモリ１６ａ〜１６ｄに記憶されているものとする。
【００３８】
この場合、図４（Ｂ）に示すように、画像部分３０ａ〜３０ｄが画像３ａ〜３ｄの上半分に表示されている間は、画像３ａ〜３ｄ間で画像部分３０ａ〜３０ｄの表示にずれは生じない。
【００３９】
しかし、図４（Ｃ）に示すように、画像３ａ〜３ｄの下半分に画像部分３０ａ〜３０ｄが表示される場合、画像３ｃ、３ｄの下半分の領域では表示に遅延が生じるため、画像３ｂに付加されたオーバーラップ領域４ｂに含まれる画像部分３１ｃと、画像３ｂに含まれる画像部分３０ｂとの間にずれが生じる。同様に、画像３ｃに付加されたオーバーラップ領域４ｂに含まれる画像部分３１ｂと、画像３ｃに含まれる画像部分３０ｃとの間にずれが生じる。
【００４０】
ずれ量検出部１４ｂ、１４ｃは、このずれ量を検出する処理を行う。具体的には、ずれ量検出部１４ｂは、ラインメモリ１６ｂに記憶された画像信号を参照し、画像部分３０ｂの上端の位置と画像部分３１ｃの上端の位置を比較する。そして、ずれ量検出部１４ｂは、その位置のずれ量が何フレーム分に相当するかを検出する。
【００４１】
または、ずれ量検出部１４ｃが、ラインメモリ１６ｃに記憶された画像信号を参照し、画像部分３０ｃの上端の位置と画像部分３１ｂの上端の位置を比較してもよい。この場合、ずれ量検出部１４ｃは、その位置のずれ量が何フレーム分に相当するかを検出する。なお、ずれ量検出部１４ｂ、１４ｃは、位置のずれ量とフレーム数の対応関係の情報を予め保持しているものとする。
【００４２】
ずれ量検出部１４ａ、１４ｄも、ずれ量検出部１４ｂ、１４ｃと同様のずれ量検出処理を行うが、図４に示す例では、ずれ量検出部１４ａ、１４ｄによりずれが検出されることはない。
【００４３】
また、図５（Ａ）には、右方向にスクロールする画像部分４０を含む画像データ１ａ〜１ｄが示されている。図５（Ａ）に示す画像データ１ａ〜１ｄのフォーマットは、フォーマット変換部１２により、図５（Ｂ）〜図５（Ｄ）に示すようなフォーマットに変換される。以下では、画像１ｄの表示に遅延が発生するものとして説明を行うこととする。また、図５（Ｂ）〜図５（Ｄ）に示した一点鎖線の位置における画像信号は、遅延制御部１３ａ〜１３ｄによりラインメモリ１６ａ〜１６ｄに記憶されているものとする。
【００４４】
この場合、図５（Ｂ）に示すように、画像部分４０ａ、４０ｂが画像３ａ、３ｂに表示されている間は、画像３ａ、３ｂの上半分と下半分との間で画像部分４０ａ、４０ｂの表示にずれは生じない。
【００４５】
しかし、図５（Ｃ）、図５（Ｄ）に示すように、画像３ｃ、３ｄに画像部分４０ａ、４０ｂが表示される場合、画像３ｃ、３ｄの下半分の領域では表示に遅延が生じるため、画像部分４０ａと画像部分４０ｂとの間にずれが生じる。
【００４６】
ずれ量検出部１４ｃ、１４ｄは、このずれ量を検出する処理を行う。具体的には、ずれ量検出部１４ｃは、ラインメモリ１６ｃに記憶された画像信号を参照し、画像部分４０ａの右端の位置と画像部分４０ｂの右端の位置を比較する。そして、ずれ量検出部１４ｃは、その位置のずれ量が何フレーム分に相当するかを検出する。
【００４７】
または、ずれ量検出部１４ｄが、ラインメモリ１６ｄに記憶された画像信号を参照し、画像部分４０ａの左端の位置と画像部分４０ｂの左端の位置を比較してもよい。この場合、ずれ量検出部１４ｄは、その位置のずれ量が何フレーム分に相当するかを検出する。なお、ずれ量検出部１４ｃ、１４ｄは、位置のずれ量とフレーム数の対応関係の情報を予め保持しているものとする。
【００４８】
ずれ量検出部１４ａ、１４ｂも、ずれ量検出部１４ｃ、１４ｄと同様のずれ量検出処理を行うが、図５に示す例では、ずれ量検出部１４ａ、１４ｂによりずれが検出されることはない。
【００４９】
なお、図４、図５の例では、スクロールする画像部分３０ａ〜３０ｄ、４０ａ、４０ｂが帯状であることとしたが、線状であってもよい。この場合、ずれ量検出部１４ａ〜１４ｄは、線のずれ量を検出する。
【００５０】
また、図４の例では、オーバーラップ領域４ｂを利用して画像のずれ量を検出し、図５の例では、オーバーラップ領域を利用せずに画像のずれ量を検出することとしたが、図２（Ａ）に示した画像のフォーマットが図２（Ｃ）や図２（Ｅ）に示したようなフォーマットに変換される場合には、図５の例が図４の例を横にしたものと考えられることから、図５のような例においてもオーバーラップ領域を利用した画像のずれ量の検出を容易に実行することができる。
【００５１】
また、表示部１９は、ずれ量検出部１４ａ〜１４ｄによりずれ量が検出される際に、画像１ａ〜１ｄを表示部１９に表示させてもよいし、画像１ａ〜１ｄを表示部１９に表示せずにデータ処理によってずれ量のみを検出することとしてもよい。
【００５２】
また、ずれ量検出部１４ａ〜１４ｄは、テストパターンによるずれ量の検出を行った後、通常の画像が表示されている間も、画像部分の画像間でのずれ量の検出を行う。これは、テストパターンによりずれが調整された後に発生するずれを再度調整するために行われるものである。図６は、通常の画像が表示されている間に実行される画像部分の画像間でのずれ量の検出処理について説明する図である。
【００５３】
図６（Ａ）には、画像データ１ａ〜１ｄと、斜め右上方向に移動する画像部分５０が示されている。図６（Ａ）に示す画像データ１ａ〜１ｄのフォーマットは、フォーマット変換部１２により、図６（Ｂ）〜図６（Ｅ）に示すようなフォーマットに変換される。以下では、画像１ｄの表示に遅延が発生するものとして説明を行うこととする。また、図６（Ｂ）〜図６（Ｅ）に示した一点鎖線の位置における過去数フレーム分の画像信号は、遅延制御部１３ａ〜１３ｄによりラインメモリ１６ａ〜１６ｄに記憶されているものとする。
【００５４】
この場合、図６（Ｂ）、図６（Ｃ）に示すように、画像部分５０が画像３ａ、３ｂに表示されている間は、画像３ａ、３ｂの上半分と下半分との間で画像部分５０の表示にずれは生じない。
【００５５】
しかし、図６（Ｄ）に示すように、画像３ｃの上半分の領域と下半分の領域に跨って画像部分５０が表示される場合、画像３ｃの下半分の領域では表示に遅延が生じるため、画像部分５０ａと画像部分５０ｂとの間にずれが生じる。ずれ量検出部１４ｃは、このずれ量を検出する処理を行う。
【００５６】
例えば、現フレームにおいて、図６（Ｄ）に示すような画像部分５０ａ、５０ｂの表示がなされている場合、ずれ量検出部１４ｃは、一点鎖線５１ｂの画像部分５０ｂに含まれる部分の画像信号と、ラインメモリ１６ｃに記憶された一点鎖線５１ａにおける過去数フレーム分の画像信号とを比較し、画像部分５０ａと画像部分５０ｂとの間のずれ量が何フレーム分であるかを検出する。
【００５７】
例えば、ずれ量検出部１４ｃは、一点鎖線５１ｂの画像部分５０ｂに含まれる部分の画像信号が、一点鎖線５１ａにおける１フレーム前の画像信号の一部と類似する判定した場合、画像３ｃ、３ｄの下半分の表示が１フレーム分遅延していると判定する。また、ずれ量検出部１４ｃは、フレームの遅延が所定の回数連続して検出された場合に初めてフレームの遅延が発生していると判定することとしてもよい。
【００５８】
図１の説明に戻ると、フレームバッファ１５ａは、フレームごとに画像信号を保持するバッファである。ラインメモリ１６ａは、図４〜図６に示した一点鎖線における過去数フレーム分の画像信号を保持するメモリである。
【００５９】
遅延調整部１７ａ〜１７ｄは、ずれ量検出部１４ａ〜１４ｄにより検出されたずれ量に応じて、タイミング制御部１８に画像信号を出力するタイミングを調整する処理部である。具体的には、遅延調整部１７ａ〜１７ｄは、ずれ量検出部１４ａ〜１４ｄによりある画像の表示が他の画像の表示よりもあるフレーム数分進んでいることが検出された場合に、その画像の画像信号の出力タイミングをそのフレーム数分遅延させる。その際、遅延調整部１７ａ〜１７ｄは、画像３ａ〜３ｄからオーバーラップ領域４ａ〜４ｃを取り除く処理を行う。
【００６０】
タイミング制御部１８は、遅延制御部１３ａ〜１３ｄにより入力された画像信号から表示部１９の駆動に必要なタイミングパルスを生成し、表示部１９に出力する処理部である。表示部１９は、画像を表示する液晶ディスプレイなどの表示デバイスである。
【００６１】
つぎに、本発明の実施形態に係る画像信号の出力タイミング遅延量調整処理の処理手順について説明する。図７は、本発明の実施形態に係る画像信号の出力タイミング遅延量調整処理の処理手順を示すフローチャートである。
【００６２】
まず、表示装置１０の入力部１１ａ〜１１ｄは、パーソナルコンピュータなどの機器から、２Ｋ１Ｋのテストパターン画像の画像信号の入力を受け付ける（ステップＳ１０１）。そして、表示部１０２は、テストパターン画像の表示を行う（ステップＳ１０２）。
【００６３】
続いて、ずれ量検出部１４ａ〜１４ｄは、図４、図５で説明したようにして、複数の画像３ａ〜３ｄに跨る画像部分の画像間でのずれ量を検出する（ステップＳ１０３）。そして、遅延調整部１７ａ〜１７ｄは、ずれ量検出部１４ａ〜１４ｄによりずれが検出されたか否かを判定する（ステップＳ１０４）。
【００６４】
ずれが検出された場合（ステップＳ１０４においてＹＥＳの場合）、遅延調整部１７ａ〜１７ｄは、検出されたずれの量に応じて、画像信号の出力タイミングの遅延量を調整する（ステップＳ１０５）。
【００６５】
ずれが検出されなかった場合（ステップＳ１０４においてＮＯの場合）、または、ステップＳ１０５の処理の後、表示部１９は、テストパターン画像により遅延量が調整された状態での通常画像の表示を行う（ステップＳ１０６）。
【００６６】
その後、ずれ量検出部１４ａ〜１４ｄは、図６で説明したようにして、複数の画像３ａ〜３ｄに跨る画像部分の画像間でのずれ量を検出する（ステップＳ１０７）。そして、遅延調整部１７ａ〜１７ｄは、ずれ量検出部１４ａ〜１４ｄによりずれが検出されたか否かを判定する（ステップＳ１０８）。
【００６７】
ずれが検出された場合（ステップＳ１０８においてＹＥＳの場合）、遅延調整部１７ａ〜１７ｄは、検出されたずれの量に応じて、画像信号の出力タイミングの遅延量を調整する（ステップＳ１０９）。
【００６８】
ずれが検出されなかった場合（ステップＳ１０８においてＮＯの場合）、または、ステップＳ１０９の処理の後、ずれ量検出部１４ａ〜１４ｄは、表示処理の終了指示があったか否かを判定する（ステップＳ１１０）。例えば、表示装置１０のスイッチがオフにされた場合などに表示処理の終了指示がなされる。
【００６９】
表示処理の終了指示がない場合（ステップＳ１１０においてＮＯの場合）、ステップＳ１０７以降の処理が継続される。表示処理の終了指示があった場合（ステップＳ１１０においてＹＥＳの場合）、この画像信号の出力タイミング遅延量調整処理は終了する。
【００７０】
なお、本発明は上述した実施形態に限定されず、本発明の要旨を逸脱しない範囲内で各種の変形、修正が可能である。
【符号の説明】
【００７１】
１ａ〜１ｄ，３ａ〜３ｄ，６ａ，６ｂ，８ａ，８ｂ…画像、２，３０，３０ａ〜３０ｄ，４０，４０ａ，４０ｂ，５０，５０ａ，５０ｂ…画像部分、４ａ〜４ｃ，５ａ〜５ｄ，７，９…オーバーラップ領域、１１ａ〜１１ｄ…入力部、１２…フォーマット変換部、１３ａ〜１３ｄ…遅延制御部、１４ａ〜１４ｄ…ずれ量検出部、１５ａ〜１５ｄ…フレームバッファ、１６ａ〜１６ｄ…ラインメモリ、１７ａ〜１７ｄ…遅延調整部、１８…タイミング制御部、１９…表示部、２０ａ，２０ｂ，２１ａ，２１ｂ…画像パターン、５１ａ，５１ｂ…ライン。
【図１】
2013225047.tif 000003
【図２】
2013225047.tif 000004
【図３】
2013225047.tif 000005
【図４】
2013225047.tif 000006
【図５】
2013225047.tif 000007
【図６】
2013225047.tif 000008
【図７】
2013225047.tif 000009
【図８】
2013225047.tif 000010